(57)【要約】【課題】コスト高を招くことなく、外輪の不正変形を引き起こし難いシールド板付きの転がり軸受を提供すること。【解決手段】内輪３０及び外輪３１と、内輪と外輪との間に転動自在に保持された複数の転動体３２と、外輪の内周面に周方向に沿って形成されると共に内周面側及び開口端側に開口した係合用溝部４０に係合された環状のシールド板３３と、を備え、シールド板が、環状のシールド本体３５と、該シールド本体の外周縁部に沿って複数配設され、該外周縁部から径方向外方に向けて傾斜した状態で突設されると共に係合用溝部に係合される係合突起３６と、を備え、係合突起が、シールド本体の外周縁部との連設部分を基点に該シールド本体の面内方向に直交する直交方向に折曲変形可能とされていると共に、外周縁部からの突設長さが周方向中央部３６ａよりも周方向両端部３６ｂの方が短く形成されている転がり軸受２２を提供する。【選択図】図３
2011256966.tif 000002
【特許請求の範囲】
【請求項１】
同軸上に配設された内輪及び外輪と、
前記内輪と前記外輪との間に転動自在に保持された複数の転動体と、
前記外輪の内周面に周方向に沿って形成されると共に内周面側及び開口端側に開口した係合用溝部に係合され、前記内輪と前記外輪との間に画成された円環状空間を塞ぐ環状のシールド板と、を備え、
前記シールド板は、
内周縁部が前記内輪を径方向外側から囲み、且つ外周縁部が前記外輪に向き合う環状のシールド本体と、
該シールド本体の外周縁部に沿って複数配設され、該外周縁部から径方向外方に向けて傾斜した状態で突設されると共に前記係合用溝部に係合される係合突起と、を備え、
前記係合突起は、前記シールド本体の外周縁部との連設部分を基点に該シールド本体の面内方向に直交する直交方向に折曲変形可能とされていると共に、外周縁部からの突設長さが周方向中央部よりも周方向両端部の方が短く形成されていることを特徴とする転がり軸受。
【請求項２】
請求項１に記載の転がり軸受けにおいて、
前記係合突起は、前記周方向中央部から前記周方向両端部に向かうにしたがって漸次前記突設長さが短くなるように形成されていることを特徴とする転がり軸受。
【請求項３】
請求項１又は２に記載の転がり軸受けにおいて、
前記係合突起の周方向中央部には、外縁部から前記シールド本体側に向かって切欠溝が形成されていることを特徴とする転がり軸受。
【請求項４】
請求項３に記載の転がり軸受けにおいて、
前記切欠溝は、前記シールド本体の外周縁部を超え、該シールド本体側に延びていることを特徴とする転がり軸受。
【請求項５】
請求項１から４のいずれか１項に記載の転がり軸受けにおいて、
前記係合突起のうち前記シールド本体の外周縁部との連設部分には、周方向両端部側から周方向中央部に向けて外周縁部に沿った２つのスリットが形成され、
前記係合突起は、前記２つのスリットで挟まれた連結梁部を基点として前記直交方向に折曲変形可能とされていることを特徴とする転がり軸受。
【請求項６】
請求項１から５のいずれか１項に記載の転がり軸受において、
前記係合用溝部は、前記外輪の内周面全体に亘って環状に形成されていることを特徴とする転がり軸受。
【請求項７】
請求項１から６のいずれか１項に記載の転がり軸受において、
前記係合突起は、前記シールド本体の外周縁部に周方向に沿って等間隔毎に配設され、且つその数が３以上の素数であることを特徴とする転がり軸受。
【請求項８】
請求項１から７のいずれか１項に記載の転がり軸受において、
前記係合突起の数と前記転動体の数とは、互いに素の関係であることを特徴とする転がり軸受。
【請求項９】
請求項１から８のいずれか１項に記載の転がり軸受と、
円柱状に形成され、前記内輪が固定されるシャフトと、
該シャフトと同軸上に配設され、前記外輪が固定される円筒状のスリーブと、を備えていることを特徴とする軸受装置。
【請求項１０】
請求項９に記載の軸受装置と、
前記スリーブに外嵌されて該スリーブと共に前記シャフトの回りを回動自在とされ、ヘッドジンバルアッセンブリを支持するアーム部を有するキャリッジと、
磁気記録媒体を一定方向に回転させる回転駆動部と、
前記キャリッジを回動させ、ヘッドジンバルアッセンブリを前記磁気記録媒体の表面に平行な方向に向けて移動させるアクチュエータと、を備えていることを特徴とする情報記録再生装置。
【発明の詳細な説明】
【技術分野】
【０００１】
本発明は、シールド板付きの転がり軸受、これを有する軸受装置及び情報記録再生装置に関するものである。
【背景技術】
【０００２】
従来から、各種の情報を磁気的又は光学的にディスクに記録・再生させるハードディスク等の情報記録再生装置が知られている。一般的に、この種の情報記録再生装置は、ディスクに信号を記録再生するヘッド部が先端に設けられたスイングアームを有するアクチュエータを備えている。このアクチュエータは、スイングアームの基端側に設けられた軸受装置に回動可能に支持されている。つまり、この軸受装置を回動させることで、スイングアームを水平面に沿って回動させることができ、スイングアーム先端のヘッド部をディスクの所定位置に移動させることで信号の記録や再生を行うことが可能とされている。
【０００３】
ところで、スイングアームを回動させる軸受装置は、一般的にシャフト、スリーブ、及びシャフトとスリーブとの間に介装された転がり軸受で構成されている。特に、この種の軸受装置に用いられる転がり軸受には長期的に安定して作動することが求められており、従来からシールド板付きの転がり軸受を利用する場合が多々あった。
【０００４】
このシールド板付きの転がり軸受は、外輪の内周面に環状のシールド板（密封板）が取り付けられたものであり、シャフトとスリーブとの間に画成された円環状空間をシールド板で塞いでいる。
従って、転動体や、外輪及び内輪の軌道面等に、外部からの塵埃等が付着してしまうことを防止したり、内部のグリスや潤滑油等が外部に漏出することを抑制したりすることが可能とされている。従って、シールド板付きの転がり軸受は、シールド板を有さないものに比べて、長期的に安定に作動し易い。
【０００５】
このようなシールド板付きの転がり軸受としては、例えば、外周縁部に複数の係止用突起が設けられたシールド板を利用するものが知られている（特許文献１参照）。
この転がり軸受におけるシールド板は、金属板を環状に形成したものであり、外周縁部に、周方向に沿って一定間隔毎に複数の係止用突起が突設されている。これら複数の係止用突起は、外周縁部から径方向外方に向けて斜めに傾斜するように突設されており、シールド板の面内方向に略直交する直交方向に折曲変形自在とされている。
【０００６】
このように構成されたシールド板は、外輪に形成された係止凹溝内に係止用突起が係止されていることで、該外輪に装着されている。
具体的には、係止用突起を係止凹溝内に嵌め込むように、シールド板を外輪と内輪との間の画成された円環状空間内に押し込む。すると、係止用突起は、根元側を基点として上記直交方向に折れ曲がりながら係止凹溝内に嵌め込まれていく。そして、シールド板が完全に押し込まれると、係止用突起は係止凹溝内にて弾性復元力によって弾性戻りして、係止凹溝における内側面を押圧する。これにより、係止用突起は係止凹溝内に引っ掛かって係止された状態となる。このようにして、シールド板は外輪に装着されている。
【先行技術文献】
【特許文献】
【０００７】
【特許文献１】特開２００２−８９５７４号公報
【発明の概要】
【発明が解決しようとする課題】
【０００８】
ところで、従来のシールド板では、係止用突起がシールド板の外周縁部に連設された部分を基点として、シールド板の面内方向に略直交する直交方向に折曲変形するものであるが、外周縁部に沿って折曲変形するので綺麗に曲がらずストレスが溜まり易いうえ、図１２及び図１３に示すように、シールド板１００の押し込み時に係止用突起１０１の周方向両端部１０１ａが係止凹溝１１０の内側面１１１に局所的に接触し易かった。
そのため、上記ストレスに加え、係止用突起１０１の周方向中央部１０１ｂに内部応力が集中してしまい、該中央部１０１ｂが過度に不正変形してしまう恐れがあった。その結果、係止用突起１００が係止凹溝１１０における内側面１１１を外輪１１２の径方向外側に向けて強く押圧し易かった。
【０００９】
従って、従来のシールド板付き転がり軸受では、係止用突起の押圧力によって、外輪を径方向外側に膨らむように不正変形させてしまう可能性が高く、外輪の真円度が損なわれ、有害な振動や負荷トルク変動が生じてしまう恐れがあった。
更には、係止用突起の強い押圧力のために、シールド板の中央部が座屈するように歪んでしまう可能性もあり、外観不良を招いたり、外輪に対して相対運動する部品、例えばリテーナー等に接触したりする恐れもあった。
【００１０】
なお、例えば係止用突起の押圧力を小さくするために、係止用突起の周方向に沿った横幅長さ（図１３に示す横幅長さＷ）を仮に小さくした場合には、搬送中等に変形して引っ掛かり機能が低下し易くなってしまい、外輪からシールド板が離脱してしまう可能性が高まってしまう。また、係止用突起の加工がより困難になりコストの上昇に繋がってしまうという新たな問題を引き起こしてしまうものであった。
また、例えばシールド板に係止用突起を設けずに、Ｃリング等の別部材を利用してシールド板を外輪に対して装着させる方法も考えられるが、この場合にはＣリングとシールド板という２つの部品が必要となってしまい、やはりコスト高を招き易かった。
【００１１】
本発明は、このような事情に考慮してなされたもので、その目的は、コスト高を招くことなく、外輪の不正変形を引き起こし難いシールド板付きの転がり軸受、及びこれを有する軸受装置、情報記録再生装置を提供することである。
【課題を解決するための手段】
【００１２】
本発明は、前記課題を解決するために以下の手段を提供する。
（１）本発明に係る転がり軸受は、同軸上に配設された内輪及び外輪と、前記内輪と前記外輪との間に転動自在に保持された複数の転動体と、前記外輪の内周面に周方向に沿って形成されると共に内周面側及び開口端側に開口した係合用溝部に係合され、前記内輪と前記外輪との間に画成された円環状空間を塞ぐ環状のシールド板と、を備え、前記シールド板が、内周縁部が前記内輪を径方向外側から囲み、且つ外周縁部が前記外輪に向き合う環状のシールド本体と、該シールド本体の外周縁部に沿って複数配設され、該外周縁部から径方向外方に向けて傾斜した状態で突設されると共に前記係合用溝部に係合される係合突起と、を備え、前記係合突起が、前記シールド本体の外周縁部との連設部分を基点に該シールド本体の面内方向に直交する直交方向に折曲変形可能とされていると共に、外周縁部からの突設長さが周方向中央部よりも周方向両端部の方が短く形成されていることを特徴とする。
【００１３】
本発明に係る転がり軸受によれば、係合突起が係合用溝部に入り込んで係合していることで、シールド板が外輪に装着されている。そのため、外輪と内輪との間に画成された円環状空間をシールド板で塞ぐことができ、塵埃等が内部に混入したり、グリス及び潤滑油等が外部に漏出したりしてしまうことを抑制することができる。
【００１４】
ところで、シールド板を外輪に装着する場合には、外輪と内輪との間に画成された円環状空間を塞ぐようにシールド板を外輪に対して重ね合わせた後、シールド板を円環状空間に押し込む。すると、複数の係合突起は、シールド本体の外周縁部との連設部分を基点として直交方向に折曲変形しながら係合用溝部内に嵌め込まれていく。そして、シールド板を完全に押し込むと、係合突起は係合用溝部内にて弾性復元力によって弾性戻りして、係合用溝部における内壁部を押圧する。これにより、係合突起は係合用溝部に引っ掛かって係止された状態となり、シールド板が装着される。
【００１５】
特に係合突起は、シールド本体の外周縁部からの突設長さが周方向中央部よりも周方向両端部の方が短く形成されているので、上記シールド板の装着時において、従来のように係合突起の周方向両端部が係合用溝部の内壁部に対して局所的に接触するといったことがなく、係合突起の全体が均一に係合用溝部の内壁部に接触し易くなる。
従って、係合突起が外輪を径方向外側に押圧する力を均一に分散でき、結果的に押圧力を弱めることができる。そのため、外輪に径方向外側に膨らむような不正変形を引き起こし難くさせることができ、外輪の真円度を維持し易く、有害な振動や負荷トルクの変動が生じ難い。
【００１６】
また、係合突起の周方向に沿った長さを小さくする必要性がないので、係合突起の加工性を従来通り維持できコスト高を招くこともなく、また、搬送中等に変形し難く頑健性を従来通り維持できるうえ、外輪からの外れ難さについても維持することができる。加えて、Ｃリング等の別部品を必要とせず、シールド板の１部品で確実に該シールド板を外輪に装着できるので、コスト高を招くこともない。
【００１７】
（２）また、上記本発明の転がり軸受けにおいて、前記係合突起が、前記周方向中央部から前記周方向両端部に向かうにしたがって漸次前記突設長さが短くなるように形成されていても良い。
【００１８】
この場合には、係合突起の周方向中央部から周方向両端部に至る部分がテーパ状に形成されているので、接触面積を十分に確保しながら、係合突起の全体を均一に係合用溝部の内壁部に接触させることができる。従って、係合突起が外輪を径方向外側に押圧する力をより分散でき、押圧力を低く抑え易い。
【００１９】
（３）また、上記本発明の転がり軸受けにおいて、前記係合突起の周方向中央部には、外縁部から前記シールド本体側に向かって切欠溝が形成されていても良い。
【００２０】
この場合には、切欠溝によって係合突起が周方向に分断された状態となるので、係合突起の剛性を低くでき、軽い力でシールド板を押し込むことが可能である。従って、シールド板をより簡便に装着し易い。また、切欠溝によって係合突起は周方向に分断された状態であるので、シールド板の押し込み時、係合突起に伝わってきた周方向への力を切欠溝の隙間を利用して吸収し易い。従って、係合突起の全体を係合用溝部の内壁部に対してよりフィットさせ易い。
【００２１】
（４）また、上記本発明の転がり軸受けにおいて、前記切欠溝が、前記シールド本体の外周縁部を超え、該シールド本体側に延びていても良い。
【００２２】
この場合には、切欠溝がシールド本体側にまで延びているので、上述したシールド板の簡便な装着と、周方向への力の吸収という作用効果をより効果的に奏効することができる。
【００２３】
（５）また、上記本発明の転がり軸受けにおいて、前記係合突起のうち前記シールド本体の外周縁部との連設部分には、周方向両端部側から周方向中央部に向けて外周縁部に沿った２つのスリットが形成され、前記係合突起が、前記２つのスリットで挟まれた連結梁部を基点として前記直交方向に折曲変形可能とされていても良い。
【００２４】
この場合には、２つのスリットで挟まれた連結梁部を基点として係合突起を折曲変形させることができるので、係合突起を容易に折曲させることが可能であり、より軽い力でシールド板を押し込むことができる。従って、シールド板をより簡便に装着し易い。
また、スリットの隙間を利用して、係合突起の周方向両端部を揺動させることもできるので、シールド板の押し込み時、係合突起に伝わってきた周方向への力を吸収し易い。従って、係合突起の全体を係合用溝部の内壁部に対してフィットさせ易い。
【００２５】
（６）また、上記本発明の転がり軸受けにおいて、前記係合用溝部が、前記外輪の内周面全体に亘って環状に形成されていても良い。
【００２６】
この場合には、外輪とシールド板との相対的な周方向への位置関係を気にすることなく、シールド板を外輪に装着できるので、組立性に優れている。
【００２７】
（７）また、上記本発明の転がり軸受けにおいて、前記係合突起が、前記シールド本体の外周縁部に周方向に沿って等間隔毎に配設され、且つその数が３以上の素数であっても良い。
【００２８】
この場合には、外輪の回転軸線を挟んで径方向に向かい合わせることなく、係合突起を周方向に沿って等間隔毎に配設することができる。従って、外輪のうち回転軸線を挟んで径方向に向かい合った部分に、係合突起から同時に押圧力が伝わることがない。よって、外輪の真円度の維持に貢献し易い。
【００２９】
（８）また、上記本発明の転がり軸受けにおいて、前記係合突起の数と前記転動体の数とが、互いに素の関係であっても良い。
【００３０】
この場合には、係合突起の数と、転動体の数と、を互いに素の関係、即ち、１以外に共通の約数を持たない関係にすることができるので、転がり軸受を回転軸線方向から見た際に、全ての転動体と全ての係合突起とが転がり軸受の厚み方向に重なってしまう配置パターンや、全ての転動体と全ての係合突起とが厚み方向に重ならない配置パターンになってしまうことがない。
仮に、転動体及び係合突起の数が共に同じ数である場合には、上記２つの配置パターンが使用中に交互に現れてしまう。この場合には、２つの配置パターンで外輪に与える圧力差が大きくでてしまい、外輪に不正変形を引き起こす悪影響が生じ易くなってしまう。
しかしながら、転動体の数と係合突起の数とを互いに素の関係にすることができるので、上記２つの配置パターンが使用中に交互に現れてしまうことを防ぐことができる。
【００３１】
（９）上記本発明の軸受装置は、上記本発明の転がり軸受と、円柱状に形成され、前記内輪が固定されるシャフトと、該シャフトと同軸上に配設され、前記外輪が固定される円筒状のスリーブと、を備えていることを特徴とする。
【００３２】
本発明に係る軸受装置によれば、上述した転がり軸受を備えているので、シャフトとスリーブとを有害な振動や負荷トルクの変動を生じさせることなく、滑らかに相対的に回転させることができる。従って、高性能な軸受装置とすることができる。また、コスト高を招き難い転がり軸受けを備えているので、低価格な軸受装置にし易い。
【００３３】
（１０）上記本発明の情報記録再生装置は、上記本発明の軸受装置と、前記スリーブに外嵌されて該スリーブと共に前記シャフトの回りを回動自在とされ、ヘッドジンバルアッセンブリを支持するアーム部を有するキャリッジと、磁気記録媒体を一定方向に回転させる回転駆動部と、前記キャリッジを回動させ、ヘッドジンバルアッセンブリを前記磁気記録媒体の表面に平行な方向に向けて移動させるアクチュエータと、を備えていることを特徴とする。
【００３４】
本発明に係る情報記録再生装置によれば、シャフトとスリーブとが滑らかに相対的に回転する高性能な軸受装置を備えているので、アーム部を滑らか且つ高速に移動させて、磁気記録媒体の目標トラックに対してヘッドジンバルアッセンブリを正確に位置制御し易く、高性能化を図り易い。また、低価格な軸受装置を備えているので、同様に低価格化を図り易い。
【発明の効果】
【００３５】
本発明に係る転がり軸受によれば、コスト高を招くことがないうえ、外輪の不正変形を引き起こし難くさせることができ、外輪の真円度を維持して有害な振動や負荷トルクの変動が生じ難くさせることができる。
また、本発明に係る軸受装置及び情報記録再生装置によれば、上記転がり軸受を備えているので、高性能化及び低価格化を図ることができる。
【図面の簡単な説明】
【００３６】
【図１】本発明に係る情報記録再生装置の実施形態を示す斜視図である。
【図２】図１に示す情報記録再生装置のピボット軸の縦断面図である。
【図３】図２に示すピボット軸を構成する転がり軸受の平面図である。
【図４】図３に示すＡ−Ａ線に沿った転がり軸受の断面図である。
【図５】図３に示す転がり軸受を構成するシールド板の平面図である。
【図６】図５に示すＣ−Ｃ線に沿ったシールド板の断面図である。
【図７】図４に示すＢ−Ｂ線に沿った断面図である。
【図８】図６に示す矢印Ｄ方向から見たシールド板の部分平面図である。
【図９】図５に示すシールド板を外輪に装着する際の一工程を示す図であって、シールド板を外輪と内輪との間に画成された円環状空間内に押し込んでいる状態を示す断面図である。
【図１０】本発明に係るシールド板の係合突起の変形例を示す図である。
【図１１】本発明に係るシールド板の係合突起の別の変形例を示す図である。
【図１２】従来のシールド板を外輪に装着する際の一工程を示す断面図である。
【図１３】図１２に示すＥ−Ｅ線に沿った断面図である。
【発明を実施するための形態】
【００３７】
以下、本発明に係る実施形態を、図１から図１１を参照して説明する。なお、本実施形態では、軸受装置が情報記録再生装置のピボット軸に用いられている場合について説明する。
【００３８】
（情報記録再生装置）
本実施形態の情報記録再生装置１は、図１に示すように、垂直記録層を有するディスク（磁気記録媒体）Ｄに対して垂直記録方式で書き込みを行う装置であって、キャリッジ２と、キャリッジ２の基端側から光導波路３を介して光束を供給するレーザ光源４と、キャリッジ２の先端側に支持されたヘッドジンバルアッセンブリ（ＨＧＡ）５と、ヘッドジンバルアッセンブリ５をディスク面（ディスクＤの表面）Ｄ１に平行な水平面内方向にスキャン移動させるアクチュエータ６と、回転軸線Ｌ１を中心にディスクＤを一定方向に回転させるスピンドルモータ（回転駆動部）７と、情報に応じて変調した電流をヘッドジンバルアッセンブリ５のスライダ５ｂに対して供給する制御部８と、これら各構成品を内部に収容するハウジング９と、を備えている
【００３９】
ハウジング９は、アルミニウム等の金属材料からなる上部開口部を有する箱型形状のものであり、上面視四角形状の底部９ａと、底部９ａの周縁において底部９ａに対して鉛直方向に立設する周壁（不図示）とで構成されている。そして、周壁に囲まれた内側には、上述した各構成品を収容する凹部が形成される。
なお、図１においては、説明を分かりやすくするため、ハウジング９の周囲を取り囲む周壁を省略している。
【００４０】
また、このハウジング９には、ハウジング９の上部開口部を塞ぐように図示しない蓋が着脱可能に固定されるようになっている。底部９ａの略中心には、上記スピンドルモータ７が取り付けられており、該スピンドルモータ７に中心孔を嵌め込むことでディスクＤが着脱自在に固定されている。
【００４１】
ディスクＤの外側で、底部９ａの一つの隅角部には、上述したアクチュエータ６が取り付けられている。このアクチュエータ６には、ピボット軸１０を中心に水平面内で回転軸線Ｌ２を中心に回動可能なキャリッジ２が取り付けられている。
このキャリッジ２は、基端部から先端部に向けて（ディスクＤ方向に向けて）延設されたアーム部２ａと、アーム部２ａを介して片持ち状に支持する基部２ｂとが、削り出し加工等により一体形成されたものである。基部２ｂは、略直方体形状に形成されたものであり、ピボット軸１０回りに回動可能に支持されている。つまり、基部２ｂはピボット軸１０を介してアクチュエータ６に連結されており、このピボット軸１０がキャリッジ２の回転中心となっている。
【００４２】
アーム部２ａは、基部２ｂにおけるアクチュエータ６が取り付けられた側面２ｃと反対側の側面（隅角部の反対側の側面）２ｄにおいて、基部２ｂの上面の面方向（水平面内方向）と平行に延出する平板状のものであり、基部２ｂの高さ方向（垂直方向）に沿って３枚延出している。
具体的には、アーム部２ａは、基端部から先端部に向かうにしたがって先細るテーパ形状に形成されており、各アーム部２ａ間に、ディスクＤが挟み込まれるように配置されている。つまり、アーム部２ａとディスクＤとが、交互に配置可能に構成されており、アクチュエータ６の駆動によってアーム部２ａがディスク面Ｄ１に平行な方向（水平面内方向）に移動可能になっている。
なお、キャリッジ２及びヘッドジンバルアッセンブリ５は、ディスクＤの回転停止時にアクチュエータ６の駆動によって、ディスクＤ上から退避するようになっている。
【００４３】
ヘッドジンバルアッセンブリ５は、アーム部２ａの先端に連接されており、サスペンション５ａと、サスペンション５ａの先端に取り付けられたスライダ５ｂとを備えている。また、ヘッドジンバルアッセンブリ５は、図示しない近接場光発生素子を有するスライダ５ｂに、レーザ光源４からの光束を導いて近接場光を発生させ、該近接場光を利用してディスクＤに各種情報を記録再生させるものである。
なお、近接場光発生素子は、例えば、光学的微小開口やナノメートルサイズに形成された突起部等により構成されている。
【００４４】
（ピボット軸）
図２に示すように、ピボット軸１０は、ハウジング９の底部９ａに立設された略円柱状のシャフト２０と、該シャフト２０を径方向外側から囲み、且つシャフト２０と同軸上に配設された略円筒状のスリーブ２１と、シャフト２０とスリーブ２１との間に介装された２つの転がり軸受２２と、を備えている。
【００４５】
シャフト２０は、回転軸線Ｌ２に沿って延びた略円柱形状の棒状部材であり、ハウジング９の底部９ａ側が基端部とされ、軸方向に沿った反対側が先端部とされている。
なお、本実施形態では、回転軸線Ｌ２に直交する方向を径方向といい、回転軸線Ｌ２を中心に周回する方向を周方向という。
【００４６】
シャフト２０の基端部には、該シャフト２０の直径よりも拡径したフランジ部２０ａと、シャフト２０の直径よりも縮径した縮径部２０ｂと、が端部に向かって順番に連設されている。縮径部２０ｂには図示しない雄ねじが形成されており、ハウジング９の底部９ａに形成された図示しない雌ねじに螺合している。
このようにして、シャフト２０はハウジング９の底部９ａに立設されている。この際、フランジ部２０ａの下面がハウジング９の底部９ａに接することで、シャフト２０の高さ方向の位置決めがなされている。
【００４７】
スリーブ２１は、内周面がシャフト２０の外周面に対して所定間隔離間し、且つ上記フランジ部２０ａと略同径とされた略円筒形状に形成された部材である。また、このスリーブ２１における２つの転がり軸受２２が配設される間には、両転がり軸受２２の間隔を軸方向に所定距離に保持させるスペーサ部２１ａが径方向内側に向けて突設されている。
そして、スリーブ２１は、キャリッジ２の基部２ｂに形成された図示しない取付孔内に圧入又は接着嵌合されることで、キャリッジ２と一体的に組み合わされている。
【００４８】
上述した２つの転がり軸受２２は、シールド板付きの軸受であって共に同一構成とされており、図３及び図４に示すように、シャフト２０に固定された内輪３０と、該内輪３０と同軸上に配設され、スリーブ２１に固定された外輪３１と、内輪３０と外輪３１との間に転動自在に保持された複数の転動体３２と、内輪３０と外輪３１との間に画成された円環状空間を塞ぐ環状のシールド板３３と、で構成されている。
【００４９】
なお、本実施形態の転がり軸受２２は、シャフト２０の軸方向に沿ったアキシアル方向に予圧が付与された軸受とされている。つまり、外輪３１と内輪３０とのうちの一方には、他方に対してアキシアル方向に予圧が付与されている。
また、本実施形態では、転動体３２をボールとして説明している。また、これら転動体３２は、図示しない保持器によって転動可能に保持されており、その数は２以上の素数である７個とされている。
【００５０】
また、本実施形態のシールド板３３は、内輪３０と外輪３１との間に画成された円環状空間を、スリーブ２１の開口部側から塞ぐように外輪３１に装着されている（図２参照）。具体的には、外輪３１に形成された係合用溝部４０に複数の係合突起３６が係合することで、シールド板３３が外輪３１に装着されている。
【００５１】
ここで、シールド板３３及び係合用溝部４０について詳細に説明する。
【００５２】
まず、シールド板３３は、図５及び図６に示すように、回転軸線Ｌ２に直交する面内に沿って延在した環状のシールド本体３５と、該シールド本体３５の外周縁部に周方向に沿って複数配設され、外周縁部から径方向外方に向けて傾斜した状態で突設された係合突起３６と、で構成されている。
【００５３】
シールド本体３５は、内周縁部が内輪３０を径方向外側から囲み、且つ外周縁部が外輪３１に向き合うように形成（図３及び図４参照）されており、剛性を高めるため断面略Ｚ状になるように段付き形成されている。
【００５４】
係合突起３６は、シールド本体３５の外周縁部に周方向に沿って等間隔毎に複数配設されている。本実施形態では５つ配設されている。よって、転動体３２の数（７個）と係合突起３６の数（５個）とは、互いに素の関係となっている。
これら係合突起３６は、シールド本体３５の外周縁部との連設部分を基点にシールド本体３５の面内方向に直交する直交方向（図６に示す矢印方向）に折曲変形可能とされている。そして、この係合突起３６は、図４及び図７に示すように、外輪の係合用溝部４０内に嵌め込まれた状態で、該係合用溝部４０の内壁部に対して均一に接触しており、該内壁部を径方向外側に押圧している。これにより、係合突起３６は係合用溝部４０内に確実に係合されており、その結果、シールド板３３が外輪３１に対して装着されている。
【００５５】
特に、本実施形態の係合突起３６は、図８に示すように、シールド本体３５の外周縁部からの突設長さが周方向中央部３６ａよりも周方向両端部３６ｂの方が短くなるように形成されている。しかも、周方向中央部３６ａから周方向両端部３６ｂに向かうにしたがって漸次突設長さが短くなるようにテーパ状に形成されている。
【００５６】
続いて、本実施形態の係合用溝部４０は、図３及び図４に示すように、外輪３１の内周面全体に亘って環状に形成されていると共に、内周面側に開口し且つ外輪３１の開口端縁側に開口するように段付き状に形成されている。
つまり、係合用溝部４０は上記シールド板３３の面内方向に平行で且つ外輪３１の内周面に連設された底壁部４１と、この底壁部４１と外輪３１の開口端縁とを連設する内壁部４２と、で画成されている。
また、上記内壁部４２のうち底壁部４１側に連接する部分は、開口端縁から底壁部４１に向かうにしたがって漸次拡径する逆テーパ状に形成された引き込み面４２ａとされている。
【００５７】
（シールド板の装着方法）
次に、上記のように構成された転がり軸受２２において、シールド板３３を外輪３１に対して装着させる方法について説明する。
はじめに、外輪３１と内輪３０との間に画成された円環状空間を塞ぐようにシールド板３３を外輪３１に対して重ね合わせた後、シールド板３３を円環状空間内に押し込む。すると、複数の係合突起３６は、図９に示すように、シールド本体３５の外周縁部を基点として直交方向に折曲変形しながら係合用溝部４０内に嵌め込まれていく。そして、シールド板３３を完全に押し込むと、図４及び図７に示すように、係合突起３６は係合用溝部４０内にて弾性復元力によって弾性戻りして、係合用溝部４０における内壁部４２を径方向外側に押圧する。これにより、係合突起３６は係合用溝部４０の引き込み面４２ａに引っ掛かって係止された状態となり、シールド板３３が装着される。
【００５８】
このように、シールド板３３を押し込むだけの簡便な操作で外輪３１への装着作業を行うことができる。そして、シールド板３３を装着することで、外輪３１と内輪３０との間に画成された円環状空間を塞ぐことができ、塵埃等が内部に混入したり、グリス及び潤滑油等が外部に漏出したりしてしまうことを抑制することができる。
【００５９】
特に、本実施形態の係合突起３６は、シールド本体３５の外周縁部からの突設長さが周方向中央部３６ａよりも周方向両端部３６ｂの方が短く形成されているので、シールド板３３の装着時において、従来のように係合突起３６の周方向両端部３６ｂが係合用溝部４０の内壁部４２に対して局所的に接触するといったことがなく、図７に示すように係合突起３６の全体が均一に係合用溝部４０の内壁部４２に接触し易くなる。
【００６０】
従って、係合突起３６が外輪３１を径方向外側に押圧する力を均一に分散させることができ、結果的に押圧力を弱めることができる。しかも、係合突起３６の周方向中央部３６ａから周方向両端部３６ｂに至る部分がテーパ状に形成されているので、接触面積を十分に確保しながら係合突起３６の全体を均一に接触させることができる。よって、上記押圧力をより低く抑え易い。
そのため、外輪３１に径方向外側に膨らむような不正変形を引き起こし難くさせることができ、外輪３１の真円度を維持し易く、有害な振動や負荷トルクの変動が生じ難い。
【００６１】
また、係合突起３６の周方向に沿った長さを小さくする必要性がないので、係合突起３６の加工性を従来通り維持できコスト高を招くこともなく、また、搬送中等に変形し難く頑健性を従来通り維持できるうえ、外輪３１からの外れ難さについても維持できる。
加えて、押圧力を弱めることができるので、シールド板３３に歪み等の外観不良を招き難いうえ、他部品（例えば保持器等）への接触の可能性も少ない。更に、Cリング等の別部品を必要とせず、シールド板３３の１部品で確実に該シールド板３３を外輪３１に装着できるので、コスト高を招くこともない。
【００６２】
また、外輪３１の内周面全体に亘って係合用溝部４０が環状に形成されているので、外輪３１とシールド板３３との相対的な周方向への位置関係を気にすることなく、シールド板３３を外輪３１に容易に装着できるので、組立性に優れている。
また、係合突起３６は、シールド板３３の外周縁部に沿って等間隔毎に５つ形成されているので、図３に示すように回転軸線Ｌ２を挟んで径方向に向かい合うことがない。従って、外輪３１のうち回転軸線Ｌ２を挟んで径方向に向かい合った部分に、係合突起３６から同時に押圧力が伝わることがない。よって、外輪３１の真円度の維持に貢献し易い。
【００６３】
更に、転動体３２の数が７つで、且つ係合突起３６の数が５つの組み合わせであるので、両者は互いに素の関係となっている。従って、転がり軸受２２を回転軸線Ｌ２方向から見た際に、全ての転動体３２と全ての係合突起３６とが転がり軸受２２の厚み方向に重ならない配置パターンになってしまうことがない。
仮に、転動体３２及び係合突起３６の数が共に同じ数の５つである場合には、上記２つの配置パターンが使用中に交互に現れてしまう。この場合には、２つの配置パターンで外輪３１に与える圧力差が大きくでてしまい、外輪３１に不正変形を引き起こす悪影響が生じ易くなってしまう。しかしながら、転動体３２の数と係合突起３６の数とが、互いに素となる組み合わせであるので、上記２つの配置パターンが使用中に交互に現れてしまうことを防ぐことができる。
【００６４】
そして、上述した転がり軸受２２を２つ備えたピボット軸１０によれば、シャフト２０とスリーブ２１とを有害な振動や負荷トルクの変動を生じさせることなく、滑らかに相対的に回転させることができる。従って、高性能なピボット軸１０とすることができる。また、コスト高を招き難い転がり軸受２２でもあるので、低価格化を図り易い。
【００６５】
更に、このようなピボット軸１０を備えている情報記録再生装置１によれば、アーム部２ａを滑らか且つ高速に移動させて、ディスクＤの目標トラックに対してヘッドジンバルアッセンブリ５を正確に位置制御し易く、高性能化を図り易い。また、低価格なピボット軸１０でもあるので、同様に低価格化を図り易い。
【００６６】
なお、本発明の技術範囲は上記実施の形態に限定されるものではなく、本発明の趣旨を逸脱しない範囲において種々の変更を加えることが可能である。
【００６７】
例えば、上記実施形態では、軸受装置を、近接場光を有する情報記録再生装置のピボット軸１０に適用した場合を例に挙げて説明したが、これに限られず、一般的なＨＤＤや光ディスク装置等の軸受装置や、各種装置の回転軸部に適用することができる。
【００６８】
また、上記実施形態では、外輪３１に対してシールド板３３を１枚装着させ、外輪３１と内輪３０との間に画成された円環状空間の一方側を塞いだ構成としたが、転動体３２の両側に位置するようにシールド板３３を２枚装着させ、外輪３１と内輪３０との間に画成された円環状空間の両側を塞ぐ構成としても構わない。
【００６９】
また、シールド板３３の係合突起３６の数を５としたが、この数に限定されるものではなく自由に設定して構わない。但し、回転軸線Ｌ２を挟んで径方向に向かい合わせることなく配置でき、外輪３１の真円度に貢献し易い観点から、３以上の素数とすることが好ましい。
【００７０】
また、転動体３２をボールとしたが、ボールに限られず、ころ等の転動自在なものであれば構わない。そして、転動体３２の数を７つとしたが、この数に限定されるものではなく自由に設定して構わない。
但し、上記係合突起３６の数と、転動体３２の数とが、互いに素となる関係となるように組み合わせることが好ましい。例えば、上述したように係合突起３６の数が５で転動体３２の数が７となるような素数同士の組み合わせだけでなく、係合突起３６の数が５で転動体３２の数が９となるような素数と奇数の組み合わせも可能であるし、係合突起３６の数が９で転動体３２の数が２５となるような奇数同士の組み合わせも可能であるし、係合突起３６の数が９で転動体３２の数が１６となるような奇数と偶数の組み合わせも可能である。
【００７１】
また、上記実施形態では、周方向中央部３６ａから周方向両端部３６ｂに至る部分がテーパ状になるように係合突起３６を形成したが、この形状に限定されるものではなく、少なくとも外周縁部からの突設長さが周方向中央部３６ａよりも周方向両端部３６ｂの方が短く形成されていれば良い。例えば、周方向中央部３６ａから周方向両端部３６ｂに至る部分を、階段状にしても構わないし、滑らかな湾曲状にしても構わない。
【００７２】
また、図１０に示すように、係合突起３６の周方向中央部３６ａに、外縁部からシールド本体３５に向かって切欠溝５０を形成しても構わない。
この場合には、切欠溝５０によって係合突起３６が周方向に分断された状態となるので、係合突起３６の剛性を低くでき、軽い力でシールド板３３を押し込むことが可能である。従って、シールド板３３をより簡便に装着し易い。また、切欠溝５０によって係合突起３６は周方向に分断された状態であるので、シールド板３３の押し込み時、係合突起３６に伝わってきた周方向への力を切欠溝５０の隙間を利用して吸収し易い。従って、係合突起３６の全体を係合用溝部４０の内壁部４２に対してよりフィットさせ易い。
更に、切欠溝５０により剛性を低下させることができるので、係合突起３６を周方向に長く形成し易く、係合用溝部４０への引っ掛かり性能を高めることができる。
【００７３】
なお、切欠溝５０の長さは、図１０に示すようにシールド本体３５の外周縁部を超え、該シールド本体３５側に延びるよう形成することが好ましいが、係合突起３６内に留まる長さであっても構わない。
【００７４】
また、図１１に示すように、係合突起３６のうちシールド本体３５の外周縁部に連設する部分に、周方向両端部３６ｂから周方向中央部３６ａに向けて外周縁部に沿った２つのスリット５１を形成し、このスリット５１で挟まれた連結梁部３６ｃを基点として折曲変形するように係合突起３６を構成しても構わない。
【００７５】
この場合には、連結梁部３６ｃを基点として係合突起３６を折曲変形させることができるので、係合突起３６を容易に折曲させることが可能であり、より軽い力でシールド板３３を押し込むことができる。従って、やはりシールド板３３をより簡便に装着し易い。
また、スリット５１の隙間を利用して、係合突起３６の周方向両端部３６ｂを揺動させることもできるので、シールド板３３の押し込み時、係合突起３６に伝わってきた周方向への力を吸収し易い。従って、係合突起３６の全体を係合用溝部４０の内壁部４２に対してよりフィットさせ易い。
なお、図１１では、周方向中央部３６ａから周方向両端部３６ｂに至る部分が滑らかに円弧状に湾曲している係合突起３６を例に挙げている。
【符号の説明】
【００７６】
Ｄ…ディスク（磁気記録媒体）
１…情報記録再生装置
２…キャリッジ
２ａ…アーム部
５…ヘッドジンバルアッセンブリ
６…アクチュエータ
７…スピンドルモータ（回転駆動部）
１０…ピボット軸（軸受装置）
２０…シャフト
２１…スリーブ
２２…転がり軸受
３０…内輪
３１…外輪
３２…転動体
３３…シールド板
３５…シールド本体
３６…係合突起
３６ａ…係合突起の周方向中央部
３６ｂ…係合突起の周方向両端部
３６ｃ…係合突起の連結梁部
４０…係合用溝部
５０…切欠溝
５１…スリット
【図１】
2011256966.tif 000003
【図２】
2011256966.tif 000004
【図３】
2011256966.tif 000005
【図４】
2011256966.tif 000006
【図５】
2011256966.tif 000007
【図６】
2011256966.tif 000008
【図７】
2011256966.tif 000009
【図８】
2011256966.tif 000010
【図９】
2011256966.tif 000011
【図１０】
2011256966.tif 000012
【図１１】
2011256966.tif 000013
【図１２】
2011256966.tif 000014
【図１３】
2011256966.tif 000015